(57)【要約】【課題】ネジやビス等を用いる必要がなく、部品点数の削減、組み立て作業性の向上を図ることができる上、低コストで製造可能な液晶ユニットを提供する。【解決手段】収納ケース２の上面に、壁部９を周設してなり液晶パネル３を収納可能なパネル収納部７を形成する一方、収納ケース２の下面に、基板５を収納可能な基板収納部８を設け、さらに、パネル収納部７の左側の壁部９に沿って、パネル収納部７と基板収納部８とを連通させる開口１０を設けて、当該開口１０内にパネル収納部７と基板収納部８とにわたる接続部材６を設置するとともに、基板５の収納ケース２への当接面に、グランドと接続されたランド部１４を設け、液晶パネル３のパネル収納部７への収納により、当該液晶パネル３が右側の壁部９と接続部材６とで挟持固定されるとともに、金属外郭部３ｂとランド部１４とが接続部材６を介して電気的に接続されるようにした。【選択図】図２
2008241915.tif 000002
【特許請求の範囲】
【請求項１】
液晶パネルと、当該液晶パネルの駆動回路を構成する電子部品が搭載された基板と、前記液晶パネル及び前記基板を対向配置して収納する板状のケース部材とを備え、前記基板のグランドと前記液晶パネルの金属外郭部とが電気的に接続された液晶ユニットであって、
前記ケース部材の上面に、壁部を周設してなり前記液晶パネルを収納可能なパネル収納部を形成する一方、前記ケース部材の下面に、前記基板を収納可能な基板収納部を設け、さらに、前記パネル収納部の所定の壁部に沿って、前記パネル収納部と前記基板収納部とを連通させる開口を設けて、当該開口内に前記パネル収納部と前記基板収納部とにわたる導電性弾性部材を設置するとともに、
前記基板の前記ケース部材への当接面に、前記グランドと接続されたランド部を設け、
前記液晶パネルの前記パネル収納部への収納により、当該液晶パネルが前記所定の壁部に対向する壁部と前記導電性弾性部材とで挟持固定されるとともに、前記金属外郭部と前記ランド部とが前記導電性弾性部材を介して電気的に接続されることを特徴とする液晶ユニット。
【請求項２】
前記所定の壁部の上縁に、前記パネル収納部内側へ突出する庇部を設け、前記液晶パネルの前記パネル収納部への収納時に、前記導電性弾性部材の前記液晶パネルよりも上方への突出を防止可能としたことを特徴とする請求項１に記載の液晶ユニット。
【請求項３】
前記導電性弾性部材が、柱状体に成形された導電性を有するガスケットであることを特徴とする請求項１又は２に記載の液晶ユニット。
【発明の詳細な説明】
【技術分野】
【０００１】
本発明は、金属外郭部を備えた液晶パネルと当該液晶パネルの駆動回路を構成する電子部品が搭載された基板とを有する液晶ユニットに関するものである。
【背景技術】
【０００２】
一般的に、液晶ユニットにおいては、液晶パネルの画面へのノイズ妨害を防止するため、基板上の電気回路のグランド電位と液晶パネルの金属外郭部の電位とを同電位とする必要がある。そのため、従来より、グランド電位に接続されたランド部を基板に設けて、該ランド部と液晶パネルの金属外郭部とを電気的に接続するようにしており、当該接続構造としては、たとえば特許文献１〜特許文献３に記載されているような接続構造が知られている。
【０００３】
【特許文献１】特開２００３−１５１１０号公報
【特許文献２】特開２００３−１５１５０号公報
【特許文献３】特開２００６−１０９６７号公報
【０００４】
ここで、特許文献１〜特許文献３に記載の各接続構造について説明する。
特許文献１には、液晶パネルの金属外郭部と基板のランド部とを金属箔テープにより電気的に接続するとともに、金属箔テープの金属箔露出部と基板のランド部とをネジにより合成樹脂製のケース部材に締着する接続構造が記載されている。
また、特許文献２には、専用に加工された金属製接続部材により液晶パネルの金属外郭部と基板のランド部とを電気的に接続するとともに、金属製接続部材と基板のランド部とをネジにより合成樹脂製のケース部材に締着する接続構造が記載されている。
さらに、特許文献３には、特殊な形状の金属製ケース及び導電性ケースを利用して液晶パネルの金属外郭部の電位と基板のグランド電位とを同電位とするとともに、ビスを用いて導電性ケースを固着する接続構造が記載されている。
【発明の開示】
【発明が解決しようとする課題】
【０００５】
しかしながら、特許文献１〜３に記載の接続構造では、全てネジやビス等により基板又はケースを固着しなければならず、組み立て作業が煩雑となるし、部品点数の増加といった問題もある。さらには、ネジやビスによる固定のための固定代が必要となり、液晶ユニット全体の薄型化に限度があるといった問題もある。
また、特許文献２及び３に記載の接続構造では、それぞれ専用の接続部材やケースを必要とするため、各種部材の製造に手間がかかるし、コスト高となるといった問題もある。加えて、液晶ユニットの使用環境によっては過剰品質ともなり（特に、特許文献３は振動の非常に多い環境下での使用を想定したものである）、無駄なコスト高でしかないといった問題がある。
【０００６】
そこで、本発明は、上記問題を解決すべくなされたものであって、ネジやビス等を用いる必要がなく、部品点数の削減、組み立て作業性の向上を図ることができる上、低コストで製造可能な液晶ユニットを提供しようとするものである。
【課題を解決するための手段】
【０００７】
上記目的を達成するために、本発明のうち請求項１に記載の発明は、液晶パネルと、当該液晶パネルの駆動回路を構成する電子部品が搭載された基板と、液晶パネル及び基板を対向配置して収納する板状のケース部材とを備え、基板のグランドと液晶パネルの金属外郭部とが電気的に接続された液晶ユニットであって、ケース部材の上面に、壁部を周設してなり液晶パネルを収納可能なパネル収納部を形成する一方、ケース部材の下面に、基板を収納可能な基板収納部を設け、さらに、パネル収納部の所定の壁部に沿って、パネル収納部と基板収納部とを連通させる開口を設けて、当該開口内にパネル収納部と基板収納部とにわたる導電性弾性部材を設置するとともに、基板のケース部材への当接面に、グランドと接続されたランド部を設け、液晶パネルのパネル収納部への収納により、当該液晶パネルが所定の壁部に対向する壁部と導電性弾性部材とで挟持固定されるとともに、金属外郭部とランド部とが導電性弾性部材を介して電気的に接続されることを特徴とする。
この構成によれば、パネル収納部への液晶パネルの収納により、液晶パネルの金属外郭部と基板のランド部との電気的な接続が可能となるとともに、導電性弾性部材の弾性を利用して液晶パネルをパネル収納部内で挟持固定することができる。したがって、液晶パネルの金属外郭部と基板のランド部との間で良好な電気的接触性を得ることができるとともに、当該電気的接続状態を安定させることができる。また、導電性弾性部材にパネル収納部内における液晶パネルの固定機能をも具備させた合理的な構成となっており、部材点数の削減、組み付け作業の簡素化等を図ることができる。さらに、ネジやビスによる固定を行っていた従来の液晶ユニットと比較して、液晶ユニットの薄型化を図ることができ、フラットデザインに対応することができる。加えて、複雑な形状を有する専用の接続部材を用いる必要もなく、低コストで製造することができる。
【０００８】
請求項２に記載の発明は、請求項１に記載の発明において、所定の壁部の上縁に、パネル収納部内側へ突出する庇部を設け、液晶パネルのパネル収納部への収納時に、導電性弾性部材の液晶パネルよりも上方への突出を防止可能としたことを特徴とする。
この構成により、液晶パネルのパネル収納部内への収納時に、導電性弾性部材が液晶パネルよりも上方へ突出してしまう事態を確実に防止することができるし、当該庇部により液晶パネルの上方への脱落を防止することができる。
【０００９】
請求項３に記載の発明は、請求項１又は２に記載の発明において、導電性弾性部材が、柱状体に成形された導電性を有するガスケットであることを特徴とする。
この構成によれば、導電性弾性部材を、柱状体に成形された導電性を有するガスケットとしているため、使い勝手の向上といった効果に加え、導電性弾性部材と金属外郭部又はランド部とを面接触させることができ、接続状態の安定性の向上といった効果を期待することができる。
【発明の効果】
【００１０】
本発明によれば、パネル収納部への液晶パネルの収納により、液晶パネルの金属外郭部と基板のランド部との電気的な接続が可能となるとともに、導電性弾性部材の弾性を利用して液晶パネルをパネル収納部内で挟持固定することができる。したがって、液晶パネルの金属外郭部と基板のランド部との間で良好な電気的接触性を得ることができるとともに、当該電気的接続状態を安定させることができる。また、導電性弾性部材にパネル収納部内における液晶パネルの固定機能をも具備させた合理的な構成となっており、部材点数の削減、組み付け作業の簡素化等を図ることができる。さらに、ネジやビスによる固定を行っていた従来の液晶ユニットと比較して、液晶ユニットの薄型化を図ることができ、フラットデザインに対応することができる。
【発明を実施するための最良の形態】
【００１１】
以下、本発明の一実施形態となる液晶ユニットについて、図面をもとに説明する。
【００１２】
図１は、液晶ユニット１の収納ケース２を示した斜視説明図であり、図２は、液晶ユニット１を分解した状態を示した斜視説明図、図３は、組み付け状態にある液晶ユニット１の断面を示した断面説明図である。
液晶ユニット１は、液晶パネル３と、当該液晶パネル３の駆動回路を構成する電子部品４が搭載された基板５と、液晶パネル３及び基板５を上面と下面とに対向配置して収納する収納ケース２と、後述の如くして基板５のグランドと液晶パネル３の金属外郭部３ｂとを電気的に接続するための接続部材６とを備えてなる。
【００１３】
収納ケース２は、絶縁性を有する合成樹脂製のケース部材であって、上面には、液晶パネル３を収納するためのパネル収納部７が、下面には、基板５を収納するための基板収納部８が夫々形成されている。パネル収納部７は、収納ケース２上面に周設された壁部９により囲まれてなり、当該パネル収納部７内の左側の壁部９に沿って、収納ケース２の下面（すなわち、基板収納部８）まで連通する開口１０が開設されている。また、左側の壁部９の上縁には、庇部１１が、開口１０の上方を覆うようにパネル収納部７内側へ突設されている。さらに、右側の壁部９には、収納状態にある液晶パネル３の上面に係止して液晶パネル３の脱落を防止する係止爪片１２が設けられている。一方、基板収納部８は、収納ケース２の下面から突設された一対の断面Ｌ字状の支持片１３、１３を有しており、当該支持片１３、１３間で基板５を支持可能としている。尚、壁部９及び支持片１３の収納ケース２表面からの突出量は、液晶パネル３及び基板５の厚みと略同程度となっており、収納ケース２は可能な限り薄型に成形されている。
【００１４】
また、液晶パネル３は、上面に表示画面３ａを有し、当該表示画面３ａの周囲（下面も含む）を金属外郭部３ｂにて支持されたものである。
さらに、基板５は、下面に種々の電子部品４を搭載したもので、上面（すなわち、収納ケース２へ当接する側の面）には、基板５のグランドと接続されたランド部１４が設けられており、基板収納部８への収納状態においてランド部１４が開口１０内から露出するようになっている。尚、液晶パネル３と基板５とは、図示しないフレキシブルケーブルで接続されている。
【００１５】
加えて、開口１０内には、液晶パネル３の金属外郭部３ｂと基板５のランド部１４とを電気的に接続するための接続部材（導電性弾性部材）６が配置される。当該接続部材６は、弾性を有する導電性部材（たとえば、導電性を有するガスケット、導電性シリコンゴム等）を断面略楕円状の柱状体に成形してなるもので、その前後方向への長さは、開口１０の前後方向への長さの略２／３程度となっている。
【００１６】
ここで、上記収納ケース２、液晶パネル３、基板５、及び接続部材６の組み付けについて説明する。
まず、開口１０内の左側の壁部９側に、接続部材６を、その下端部が基板収納部８内へ若干突出するように接着固定する。尚、当該接着固定にあたっては、図示しない導電性両面テープを用いる。
次に、液晶パネル３を、その左側縁部を庇部１１の下方へ差し込むようにして、パネル収納部７内に収納する。当該収納状態にあっては、金属外郭部３ｂとなっている左側面が接続部材６と接触し、当該接続部材６により右側へ付勢されており、液晶パネル３は、接続部材６の付勢力と右側の壁部９とによりパネル収納部７内にて挟持固定される。また、庇部１１及び係止爪片１２が、液晶パネル３の上面に係止しており、液晶パネル３の上方への脱落を防止している。
その後、基板５を、ランド部１４が設けられた面を収納ケース２側へ向けた姿勢で支持片１３、１３間に挿入し、基板収納部８内に収納する。当該収納状態にあっては、図３に示す如く、接続部材６の下部が、開口１０と対応する位置に設けられているランド部１４に押し付けられた状態となり、液晶パネル３の金属外郭部３ｂとランド部１４とが接続部材６を介して電気的に接続された状態となる。
【００１７】
以上のような構成を有する液晶ユニット１によれば、収納ケース２のパネル収納部７内に開口１０を設け、当該開口１０内にパネル収納部７と基板収納部８とにわたる弾性を有する接続部材６を設置している。そして、パネル収納部７への液晶パネル３の収納により、液晶パネル３の金属外郭部３ｂと基板５のランド部１４とを電気的に接続可能とするとともに、接続部材６の弾性を利用して液晶パネル３をパネル収納部７内で固定可能としている。したがって、液晶パネル３の金属外郭部３ｂと基板５のランド部１４との間で良好な電気的接触性を得ることができるとともに、当該電気的接続状態を安定させることができる。また、接続部材６にパネル収納部７内における液晶パネル３の固定機能をも具備させた合理的な構成となっており、部材点数の削減、組み付け作業の簡素化等を図ることができる。さらに、ネジやビスによる固定を行っていた従来の液晶ユニットと比較して、液晶ユニット１の薄型化を図ることができ、フラットデザインに対応することができる。加えて、複雑な形状を有する専用の接続部材等を用いる必要がなく、低コストで製造することができる。
【００１８】
また、開口１０の上方を覆うようにパネル収納部７内側へ突出した庇部１１を設けているため、液晶パネル３のパネル収納部７内への収納時に、接続部材６が液晶パネル３よりも上方へ突出してしまう事態を確実に防止することができるし、当該庇部１１により液晶パネル３の上方への脱落を防止することができる。
さらに、右側の壁部９に液晶パネル３の上面に係止可能な係止爪片１２を設けているため、当該係止爪片１２によっても液晶パネル３の上方への脱落を防止することができる。
【００１９】
さらにまた、液晶ユニット１の組み付けにあたって、接続部材６を導電性両面テープにより接着固定するようにしているため、液晶パネル３や基板５の収納時に接続部材６が適位置からズレたりしないし、たとえ当該テープが液晶パネル３側や基板５側へはみ出したりしても金属外郭部３ｂとランド部１４との電気的接続を阻害したりしない。したがって、組み付け作業の簡素化を図ることができるし、液晶ユニット１に接続不良が生じる事態を防止することもできる。
加えて、接続部材６を断面略楕円形状の柱状体とし、その前後方向長さを開口１０の前後方向長さの２／３程度としているため、接続部材６が開口１０内からはみ出たりしないし、また、接続部材６と金属外郭部３ｂ又はランド部１４との間で十分な接触面積を得ることができ、接続状態の安定性の向上といった効果を期待することができる。
【００２０】
なお、本発明の液晶ユニット１に係る構成は、上記実施形態に記載の態様に何ら限定されるものではなく、収納ケース２、液晶パネル３、基板５、及び接続部材６等に係る構成を、本発明の趣旨を逸脱しない範囲で、必要に応じて適宜変更することができる。
【００２１】
たとえば、接続部材６を接着固定するに際し、導電性を有さない両面テープや液体状の接着部材等を用いることも可能であるし、接続部材６を接着固定せずに構成することも可能である。
また、パネル収納部７内に設ける開口１０の位置は、上記実施形態に記載の如く左側の壁部９に沿わせる必要はなく、どの位置にある壁部に沿わせるかは設計に応じて適宜変更可能であり、基板５に設けるランド部１４の位置も開口１０に応じて適宜変更することができる。
さらに、接続部材６の形状も上記実施形態に記載のものに何ら限定されることはなく、円柱状体や角柱状体等であってよいし、開口１０内に複数の接続部材６を設置するようにしてもよい。
加えて、係止爪片１２は、開口１０と対向する壁部９側に設けた構成が最も適当ではあるものの、それ以外の壁部９に設けてもよいし、係止爪片１２を液晶パネル３の上面に係止させるのではなく、液晶パネル３の側面に係止爪片１２を係止可能な係止凹部又は係止段部（以下、係止部と称す）等を設けて、当該係止部に係止爪片１２を係止させるような構成とすることも可能である。
【図面の簡単な説明】
【００２２】
【図１】液晶ユニットの収納ケースを示した斜視説明図である。
【図２】液晶ユニットを分解した状態を示した斜視説明図である。
【図３】組み付け状態にある液晶ユニットの断面を示した断面説明図である。
【符号の説明】
【００２３】
１・・液晶ユニット、２・・収納ケース（ケース部材）、３・・液晶パネル、３ａ・・表示画面、３ｂ・・金属外郭部、４・・電子部品、５・・基板、６・・接続部材（導電性弾性部材）、７・・パネル収納部、８・・基板収納部、９・・壁部、１０・・開口、１１・・庇部、１２・・係止爪片、１３・・支持片、１４・・ランド部。
【図１】
2008241915.tif 000003
【図２】
2008241915.tif 000004
【図３】
2008241915.tif 000005